(57)【要約】      （修正有）【課題】  ケースを開けるときに弱い力でディスクを離脱させることができ、簡易な構造によりケースを開けてディスクを離脱させる一連の操作を、１回の操作で行えるディスクケースを提供する。【解決手段】  ディスク面の中心を貫通する中心孔を有するディスクを収納するディスクケース1であって、一端に閉塞面を有し、他端が開口するケース本体2と、ケース本体の開口側を閉塞する蓋体と、ケース本体の閉塞面上に設けられ、閉塞面から開口側へ突出する凸部5と、凸部の先端から閉塞面と概略平行に突出する係止突起7と、蓋体9から突出すると共に、蓋体側に屈曲する爪部10と、を備え、ディスクは、中心孔に凸部が挿通されることによりケース本体に収納され、爪部と係止突起とが向き合うように蓋体がケース本体の開口側を閉塞するときに、爪部は、係止突起と係合すると共に、ディスクを押止する。【選択図】図１
2006062687.tif 000002
【特許請求の範囲】
【請求項１】
ディスク面の中心を貫通する中心孔を有するディスクを収納するディスクケースであって、
一端に閉塞面を有し、他端が開口するケース本体と、
前記ケース本体の開口側を閉塞する蓋体と、
前記ケース本体の閉塞面上に設けられ、前記閉塞面から開口側へ突出する凸部と、
前記凸部の先端から前記閉塞面と概略平行に突出する係止突起と、
前記蓋体から突出すると共に、前記蓋体側に屈曲する爪部と、を備え、
前記ディスクは、前記中心孔に前記凸部が挿通されることにより前記ケース本体に収納され、
前記爪部と前記係止突起とが向き合うように前記蓋体が前記ケース本体の開口側を閉塞するときに、前記爪部は、前記係止突起と係合すると共に、前記ディスクを押止することを特徴とするディスクケース。
【請求項２】
前記蓋体の爪部と同一面上に、前記ディスクを押止する少なくとも一つの押さえ片を備えることを特徴とする請求項１記載のディスクケース。
【請求項３】
前記蓋体は、前記爪部を有する領域と前記爪部を有しない領域との境界線上で折り曲げ可能に形成されていることを特徴とする請求項１または請求項２記載のディスクケース。
【請求項４】
前記係止突起は、前記凸部の先端の外径より大径の円盤状に形成され、
前記爪部は、前記屈曲の方向がそれぞれ円の中心を向くように円環状に複数設けられていることを特徴とする請求項１または請求項２記載のディスクケース。
【請求項５】
前記蓋体は、前記ケース本体の開口端部に、開閉自在に連結されていることを特徴とする請求項１から請求項４のいずれかに記載のディスクケース。
【請求項６】
前記ケース本体および前記蓋体は、ポリエチレンテレフタレートにより形成されており、前記ケース本体および前記蓋体のいずれか一方は透明であり、いずれか他方は不透明または半透明であることを特徴とする請求項１から請求項５のいずれかに記載のディスクケース。
【請求項７】
前記ケース本体および前記蓋体は、ポリエチレンテレフタレートにより一体に形成されていることを特徴とする請求項５または請求項６のいずれかに記載のディスクケース。
【発明の詳細な説明】
【技術分野】
【０００１】
本発明は、ＣＤ、ＤＶＤ等の各種のディスクを収納するディスクケースに関する。
【背景技術】
【０００２】
従来から、原材料が安価であり、内容物の確認が比較的容易であるため、透明なポリスチレン（ＰＳ）製のＣＤケースが普及している。このようなディスクケースは、ＣＤやＤＶＤなどのディスクを保持する「本体」とそれを上から固定する「ふた」の２点の部品から構成されていることが多い。そして、内容物であるディスク（ＣＤまたはＤＶＤ）を取り出すときには、ディスクの中心を固定している「本体」のセンター部（ハブ）を指で押し込んでディスクをリリースする構造を有している。
【０００３】
例えば、特開平１１−２７８５７４号公報では、コンパクトディスクを安全に収納し、かつ、その取出操作を簡単確実に行なうことを可能にするコンパクトディスク用収納ケースが提案されている。このコンパクトディスク用収納ケースは、コンパクトディスクを収納する収納凹部の中心にベース部を介して筒状部を突設している。さらに、筒状部には複数の長形状溝と２つ以上の鳩尾状溝を放射状に穿設し、鳩尾状溝には弾揆性を有するリフトアームが形成される膨状支持部を有するトレー体がケース本体に設置されている。コンパクトディスクは、筒状部の上面側からの押圧によりその裏面を押上げて取出される。また、トレー体、ケース本体およびケース本体に回動可能に閉止されるケース蓋体は連結条片により連結されている。
【特許文献１】特開平１１−２７８５７４号公報
【発明の開示】
【発明が解決しようとする課題】
【０００４】
しかしながら、上記のようなディスクケースでは、センター部（ハブ）を指で押し込んでディスクをリリースする必要があり、手の小さい人や高齢者はリリースの際に困難を感じることが多い。また、ハブの固定力はディスクやケースの製造過程で微妙に異なるので、必ずしも確実な固定またはリリースが同じ力でできるとは限らない。
【０００５】
一方、ディスクをケースに収納したときには、ディスクを動かないようにディスクケースに保持する必要がある。また、容易には開かないように、ふたと本体とを連結して固定する必要もある。
【０００６】
本発明は、ケースを開けるときに弱い力でディスクを離脱させることができ、簡易な構造によりケースを開けてディスクを離脱させる一連の操作を、１回の操作で行えるディスクケースを提供することを目的とする。
【課題を解決するための手段】
【０００７】
（１）上記の目的を達成するために、本発明に係るディスクケースは、ディスク面の中心を貫通する中心孔を有するディスクを収納するディスクケースであって、一端に閉塞面を有し、他端が開口するケース本体と、前記ケース本体の開口側を閉塞する蓋体と、前記ケース本体の閉塞面上に設けられ、前記閉塞面から開口側へ突出する凸部と、前記凸部の先端から前記閉塞面と概略平行に突出する係止突起と、前記蓋体から突出すると共に、前記蓋体側に屈曲する爪部と、を備え、前記ディスクは、前記中心孔に前記凸部が挿通されることにより前記ケース本体に収納され、前記爪部と前記係止突起とが向き合うように前記蓋体が前記ケース本体の開口側を閉塞するときに、前記爪部は、前記係止突起と係合すると共に、前記ディスクを押止することを特徴としている。
【０００８】
このように、蓋体がケース本体の開口側を閉塞するときに、爪部は、係止突起と係合すると共に、先端が係止突起に係合しつつ、屈曲部がディスクをケース本体に押しつける。
【０００９】
これにより、爪部を用いて、ケース本体と蓋体とを閉じて固定すると同時に、ディスクを動かないようにディスクケースに固定することができる。その結果、ケースの開封とディスクのリリースを１回の操作で行なうことができ、簡易な構成でディスクの取り出しを容易にすることができる。
【００１０】
また、凸部は積極的なディスクの固定機構を持たず、蓋体が閉まる状態になって初めて、爪部によりディスクに固定力がかかる。このためディスクをリリースするときに、凸部への押圧操作を省くことができる。その結果、手の小さい人や高齢者であっても、容易にディスクを取り出すことができる。
【００１１】
（２）また、ディスクケースは、前記蓋体の爪部と同一面上に、前記ディスクを押止する少なくとも一つの押さえ片を備えることが好適である。
【００１２】
これにより、ディスクケースを閉じたときに、ディスクの保持を確実にすることができる。すなわち、蓋体が閉じた状態では、爪部はディスクを圧迫するが、この圧迫を強化しながらバランスを取ることができる。
【００１３】
（３）また、ディスクケースは、前記蓋体は、前記爪部を有する領域と前記爪部を有しない領域との境界線上で折り曲げ可能に形成されていることが好適である。
【００１４】
これにより、爪部を長くして、爪部と凸部との係合を確実にすることができる。その結果、蓋体とケース本体との固定を強め、ディスクケースの閉止を強化することができる。
【００１５】
（４）また、ディスクケースは、前記係止突起は、前記凸部の先端の外径より大径の円盤状に形成され、前記爪部は、前記屈曲の方向がそれぞれ円の中心を向くように円環状に複数設けられていることが好適である。
【００１６】
これにより、ディスクケースを閉じたときに、円周に設けられた複数の爪部によりバランスよくディスクを圧迫することができ、ディスクの保持を確実にすることができる。一方で、複数の爪部により係合を強化し、蓋体とケース本体との固定を強め、ディスクケースの閉止を強化することができる。
【００１７】
（５）また、ディスクケースは、前記蓋体は、前記ケース本体の開口端部に、開閉自在に連結されていることが好適である。
【００１８】
これにより、爪部と係止突起との係合の位置決めを行ない易くすることができる。また、蓋体またはケース本体を喪失するのを防止することができる。
【００１９】
（６）また、ディスクケースは、前記ケース本体および前記蓋体は、ポリエチレンテレフタレートにより形成されており、前記ケース本体および前記蓋体のいずれか一方は透明であり、いずれか他方は不透明または半透明であることが好適である。
【００２０】
これにより、ディスクケースを開けるときに表裏を誤認することが少なくなり、開封時の操作が容易になる。すなわち、ディスクケースを裏表逆に持ったときにディスクの取り出しができず、裏返して持ち替え、改めて開けなければならないということがなくなる。
【００２１】
（７）また、ディスクケースは、前記ケース本体および前記蓋体は、ポリエチレンテレフタレートにより一体に形成されていることが好適である。
【００２２】
これにより、部品を連結するヒンジ構造無しにケース本体と蓋体とを連結することができ、ディスクケースの耐久性を向上することができる。また、再生ポリエチレンテレフタレート（ＰＥＴ）は折り曲げに対する靭性が高い上に、ヒンジ部を厚みのあるＰＥＴシートすることができるので、ヒンジ部を強化することができる。また、蓋体と本体とを一体形成することで、爪部と係止突起との係合の位置精度を向上させることができる。
【００２３】
また、ＰＥＴは厚くすればポリスチレン（ＰＳ）と同程度の剛性を持つだけでなく、ＰＳよりもフィルム厚を調整することが容易で、折り曲げ部の強さや弾性を調整しやすい。つまりディスク固定機構を形成する際に、蓋体およびケース本体を厚めの樹脂に形成し、ヒンジ部を薄くして柔軟性を持たせることができる。
【００２４】
また、一体成形により、２点の部品を組み立てる操作が省かれるために組み立て工程が簡略化され、製造単価を下げることができる。
【００２５】
また、ＰＥＴはＰＳに比べて再生・再利用サイクルが整備されているために、ＰＳ製の容器よりも環境負荷の小さい製品を流通させることができる。たとえば再生ＰＥＴはバージンＰＥＴ素材に比べて純度が低く、現状では飲料容器にリサイクルすることが難しいがディスク容器には食品容器ほどには品質を要求されない。
【発明の効果】
【００２６】
本発明に係るディスクケースによれば、爪部を用いて、ケース本体と蓋体とを閉じて固定すると同時に、ディスクを動かないようにディスクケースに固定することができる。その結果、ケースの開封とディスクのリリースを１回の操作で行なうことができ、簡易な構成でディスクの取り出しを容易にすることができる。
【００２７】
また、凸部は積極的なディスクの固定機構を持たず、蓋体が閉まる状態になって初めて、爪部によりディスクに固定力がかかる。このためディスクをリリースするときに、凸部への押圧操作を省くことができる。その結果、手の小さい人や高齢者であっても、容易にディスクを取り出すことができる。
【００２８】
また、本発明に係るディスクケースによれば、ディスクケースを閉じたときに、ディスクの保持を確実にすることができる。すなわち、蓋体が閉じた状態では、爪部はディスクを圧迫するが、この圧迫を強化しながらバランスを取ることができる。
【００２９】
また、本発明に係るディスクケースによれば、爪部を長くして、爪部と凸部との係合を確実にすることができる。その結果、蓋体とケース本体との固定を強め、ディスクケースの閉止を強化することができる。
【００３０】
また、本発明に係るディスクケースによれば、ディスクケースを閉じたときに、円周に設けられた複数の爪部によりバランスよくディスクを圧迫することができ、ディスクの保持を確実にすることができる。一方で、複数の爪部により係合を強化し、蓋体とケース本体との固定を強め、ディスクケースの閉止を強化することができる。
【００３１】
また、本発明に係るディスクケースによれば、爪部と係止突起との係合の位置決めを行ない易くすることができる。また、蓋体またはケース本体を喪失するのを防止することができる。
【００３２】
また、本発明に係るディスクケースによれば、ディスクケースを開けるときに表裏を誤認することが少なくなり、開封時の操作が容易になる。すなわち、ディスクケースを裏表逆に持ったときにディスクの取り出しができず、裏返して持ち替え、改めて開けなければならないということがなくなる。
【００３３】
また、本発明に係るディスクケースによれば、部品を連結するヒンジ構造無しにケース本体と蓋体とを連結することができ、ディスクケースの耐久性を向上することができる。また、再生ポリエチレンテレフタレート（ＰＥＴ）は折り曲げに対する靭性が高い上に、ヒンジ部を厚みのあるＰＥＴシートすることができるので、ヒンジ部を強化することができる。また、蓋体と本体とを一体形成することで、爪部と係止突起との係合の位置精度を向上させることができる。
【００３４】
また、ＰＥＴは厚くすればポリスチレン（ＰＳ）と同程度の剛性を持つだけでなく、ＰＳよりもフィルム厚を調整することが容易で、折り曲げ部の強さや弾性を調整しやすい。つまりディスク固定機構を形成する際に、蓋体およびケース本体を厚めの樹脂に形成し、ヒンジ部を薄くして柔軟性を持たせることができる。
【００３５】
また、一体成形により、２点の部品を組み立てる操作が省かれるために組み立て工程が簡略化され、製造単価を下げることができる。
【００３６】
また、ＰＥＴはＰＳに比べて再生・再利用サイクルが整備されているために、ＰＳ製の容器よりも環境負荷の小さい製品を流通させることができる。たとえば再生ＰＥＴはバージンＰＥＴ素材に比べて純度が低く、現状では飲料容器にリサイクルすることが難しいがディスク容器には食品容器ほどには品質を要求されない。
【発明を実施するための最良の形態】
【００３７】
以下、本発明を実施するための最良の形態に関し、図面に基づいて説明する。説明の理解を容易にするため、各図面において同一の構成要素に対しては同一の参照番号を附し、重複する説明は省略する。
【００３８】
［実施形態１］
図１および図２に示すように、ディスクケース１は、ケース本体２と、凸部５と、係止突起７、蓋体９と、爪部１０と、押さえ片１１とから構成されている。ケース本体２は、壁部３および底部４からなり、上部が開口した薄い箱型の形状を有している。箱内部の空間に、ＣＤやＤＶＤ等のディスクを収納する。ただし、このような箱の内腔の形状に限られず、ディスク状の窪みや溝に収納してもよい。
【００３９】
ケース本体２内の底部４（閉塞面）のほぼ中心位置には、ディスクの中心孔に挿通する凸部５が設けられている。凸部５は、ケース本体２に固着されており、開口側に突出している。また、凸部５の先端には、収納されたディスクのディスク面に平行な方向に突出する係止突起７が設けられている。係止突起７は、ほぼ楕円板形状に形成され、ヒンジ部８とは逆の向きに突出している。凸部５の係止突起７を除く部分は、係止突起７の部分より径が小さく、円錐台の形状をしている。凸部５の径は、規格されたディスクの中心孔に、余裕を持って挿通させることができる程度に小さく設計されている。
【００４０】
ケース本体２は、壁部３の一つを介して蓋体９に連結されている。これにより、爪部１０と係止突起７との係合の位置決めを行ない易くすることができる。また、蓋体９またはケース本体２を喪失するのを防止することができる。
【００４１】
蓋体９は、一枚の板状に形成されている。蓋体９の開口端部は、ケース本体２と連結されている部分をヒンジ部８として、ケース本体に対して回動による開閉が自在となるように設けられている。蓋体９のケース本体２側の面Ａには、爪部１０および押さえ片１１が設けられている。爪部１０は、楔形の先端と屈曲部とを有し、くの字形状に形成されている。ただし、爪部１０の形状は、これに限られず、Ｃ字型、Ｌ字型であってもよい。爪部１０は、ヒンジ部８に爪の先端が向くように、他端が蓋体９の面Ａの自由端寄りに固着されている。また、押さえ片１１は、三角柱の形状を有しており、その一つの側面が蓋体９の面Ａに固着されている。そして、三角柱の一辺がディスク１００を押える機能を果たす。押さえ片１１は、爪部１０とヒンジ部８との間の位置に設けられている。
【００４２】
ディスクケース１は、ポリエチレンテレフタレート（ＰＥＴ）を材料とし、ケース本体２および蓋体９は一体成形により形成されている。このように、一体形成することでヒンジ構造を無くすことができ、ディスクケース１の耐久性を向上することができる。また、ディスクケース１が破壊されない限り、蓋体９とケース本体２が外れることが原理的になくなる。
【００４３】
また、再生ＰＥＴは折り曲げに対する靭性が高い上に、ヒンジ部８を厚みのあるＰＥＴシートすることができるので、ヒンジ部を強化することができる。また、蓋体９とケース本体２とを一体形成することで、爪部１０と係止突起７との係合の位置精度を向上させることができる。
【００４４】
ＰＥＴは厚くすればポリスチレン（ＰＳ）と同程度の剛性を持つだけでなく、ＰＳよりもフィルム厚を調整することが容易で、折り曲げ部の強さや弾性を調整しやすい。つまりディスク固定機構を形成する際に、蓋体９およびケース本体２を厚めの樹脂に形成し、ヒンジ部８を薄くして柔軟性を持たせることができる。
【００４５】
このことは部品の点数（２点）を一つにするだけでなく、２点の部品を組み立てる操作が省かれるために組み立て工程が簡略化され、製造単価を下げることができる。
【００４６】
加えてＰＥＴはＰＳに比べて再生・再利用サイクルが整備されているために、ＰＳ製の容器よりも環境負荷の小さい製品を流通させることができる。たとえば再生ＰＥＴはバージンＰＥＴ素材に比べて純度が低く、現状では飲料容器にリサイクルすることが難しいがディスク容器には食品容器ほどには品質を要求されない。
【００４７】
ケース本体２の色と蓋体９の色とは、それぞれ異なる。一方が透明であり、他方は白色である。ケース本体２および蓋体９の成形方法は、射出成形が好適である。成形の際には、ケース本体２の冷却工程と蓋体９の冷却工程とを別のものとする。一方は、急冷し、高分子のガラス化により透明化させる。他方は、徐冷し、高分子の結晶化により白濁化させる。これにより、ディスクケースを開けるときに表裏を誤認することが少なくなり、開封時の操作が容易になる。すなわち、ディスクケースを裏表逆に持ったときにディスクの取り出しができず、裏返して持ち替え、改めて開けなければならないということがなくなる。なお、白濁化でなくても、半透明または不透明にすれば同様の効果が得られる。凸部５、爪部１０および押さえ片１１は、それぞれの形状に成形したものを、熱処理または接着剤を用いた接着により、ケース本体２または蓋体９に固着させて形成する。なお、すべての部分を一体に成形することとしてもよい。
【００４８】
次に、図３に基き、ディスクを収納する際のディスクケース１の動作を説明する。
【００４９】
まず、図３（ａ）に示すように、ディスク１００の中心孔にケース本体２の凸部５を挿通させて、ディスク１００をケース本体２に載置する。凸部５と挿通されたディスク１００の中心孔との間には、わずかに隙間が生じる。
【００５０】
次に、図３（ｂ）に示すように、蓋体９を、ケース本体２を閉じる方向に回動させる。そして、図３（ｃ）に示すように、蓋体９によりケース本体２を閉じる。この際に、爪部１０の先端を、凸部５の係止突起７と係合させる。同時に、爪部１０の屈曲部により、ディスク１００をケース本体２に押し付ける。
【００５１】
このように、蓋体９がケース本体２の開口側を閉塞するときに、爪部１０は、係止突起７と係合すると共に、先端が係止突起７に係合しつつ、屈曲部がディスク１００をケース本体２に押しつける。
【００５２】
これにより、爪部１０を用いて、ケース本体２と蓋体９とを閉じて固定すると同時に、ディスク１００を動かないようにディスクケース１に固定することができる。その結果、ディスクケース１の開封とディスク１００のリリース（離脱）を１回の操作で行なうことができ、簡易な構成でディスク１００の取り出しを容易にすることができる。
【００５３】
また、凸部は積極的なディスク１００の固定機構を持たず、蓋体が閉まる状態になって初めて、爪部によりディスクに固定力がかかる。このためディスク１００をリリースするときに、凸部５への押圧操作を省くことができる。その結果、手の小さい人や高齢者であっても、容易にディスク１００を取り出すことができる。
【００５４】
一方では、押さえ片１１が、ディスク１００をケース本体２に押し付けている。これにより、ディスクケース１を閉じたときに、ディスク１００の保持を確実にすることができる。すなわち、蓋体９が閉じた状態では、爪部１０はディスク１００を圧迫するが、この圧迫を強化しながらバランスを取ることができる。
なお、押さえ片１１は、ディスクケース１を閉じたときに、凸部５の爪部１０の反対側に一つだけ設けるのが好適である。これにより、ディスク１００を押える押圧力のバランスがよくなり、一方で製造コストを低くすることができる。
【００５５】
［実施形態２］
ディスクケース１では、蓋体９は一枚の板状に形成されるが、蓋体の中心付近の折曲部３３（境界線）により、爪部が設けられた端部側を折り返し可能に設けてもよい。
【００５６】
図４および図５に示すように、ディスクケース２１は、蓋体２９の中心付近に折曲部３３（境界線）を有しており、蓋体２９は、ヒンジ部２８に連結される連結部３４に対して端部３５が、折り曲げ可能に設けられている。端部３５には、爪部３０が設けられている。これにより、爪部３０を長くして、爪部３０と凸部２５との係合を確実にすることができる。その結果、蓋体２９とケース本体２２との固定を強め、ディスクケース２１の閉止を強化することができる。爪部３０は、蓋体２９の端部３５に固着されており、押さえ片３１は、蓋体２９の連結部３４に固着されている。ケース本体２２、凸部２５および係止突起２７の構成は、ディスクケース１の構成と同様である。
【００５７】
次に、図６に基き、ディスク１００を収納する際のディスクケース２１の動作を説明する。
【００５８】
まず、図６（ａ）に示すように、ディスク１００の中心孔にケース本体２２の凸部２５を挿通し、ディスク１００をケース本体２に載置する。その一方で、蓋体２９を、ケース本体２２を閉じる方向に回動させる。次に、図６（ｂ）に示すように、押さえ片３１をディスク１００に押し付ける。この際には、端部３５はケース外側に折れ曲がった状態である。次に、図６（ｃ）に示すように、蓋体２９によりケース本体２２を閉じる。この際に、折り曲げられていた蓋体２９を伸ばし、爪部３０の先端を、凸部２５の係止突起２７と係合させる。同時に、爪部１０の屈曲部はディスク１００をケース本体２に押し付ける。
【００５９】
［実施形態３］
ディスクケース１では、蓋体９に設けられた爪部１０は、先端が係止突起７と係合し、屈曲部がディスク１００をケース本体２に押し付けるが、図７に示すように、屈曲部が凸部４５の係止突起４７に嵌合し、先端がディスク１００を押し付けるものであってもよい。
【００６０】
図７に示すように、ディスクケース４１には、蓋体４９の面に複数の爪部５０が設けられている。それぞれの爪部５０は、蓋体４９のケース本体４２側の面に、屈曲の方向がそれぞれ円の中心を向くように円環状に複数固着されている。凸部４５の先端には、その外径より大径の円盤状に形成された係止突起４７が設けられている。ケース本体４２の構成は、ディスクケース１と同様である。
【００６１】
次に、図８に基づき、ディスク１００を収納する際のディスクケース４１の動作を説明する。
【００６２】
まず、図８（ａ）に示すように、ディスク１００の中心孔にケース本体４２の凸部４５を挿通し、ディスク１００をケース本体４２に載置する。その一方で、蓋体４９を、ケース本体４２を閉じる方向に回動させる。次に、図６（ｂ）に示すように、蓋体４９によりケース本体４２を閉じる。この際に、複数の爪部５０の屈曲部を、凸部４５の係止突起４７と係合させる。同時に、爪部５０の先端はディスク１００をケース本体４２に押し付ける。これにより、ディスクケース４１を閉じたときに、円環状に設けられた複数の爪部５０によりバランスよくディスク１００を圧迫することができ、ディスク１００の保持を確実にすることができる。一方で、複数の爪部５０により係合を強化し、蓋体４９とケース本体４２との固定を強め、ディスクケース４１の閉止を強化することができる。
【図面の簡単な説明】
【００６３】
【図１】本発明に係るディスクケースの第１の実施形態を示す斜視図である。
【図２】本発明に係るディスクケースの第１の実施形態を示す断面図である。
【図３】（ａ）〜（ｃ）第１の実施形態の動作を示す図である。
【図４】本発明に係るディスクケースの第２の実施形態を示す斜視図である。
【図５】本発明に係るディスクケースの第２の実施形態を示す断面図である。
【図６】（ａ）〜（ｃ）第２の実施形態の動作を示す図である。
【図７】本発明に係るディスクケースの第３の実施形態を示す断面図である。
【図８】（ａ）〜（ｂ）第３の実施形態の動作を示す図である。
【符号の説明】
【００６４】
１  ディスクケース
２  ケース本体
５  凸部
７  係止突起
８  ヒンジ部
９  蓋体
１０  爪部
１１  押さえ片
２１  ディスクケース
２２  ケース本体
２５凸部
２７  係止突起
２８  ヒンジ部
２９  蓋体
３０  爪部
３１  押さえ片
３３  折曲部（境界線）
３４  連結部
３５  端部
４１  ディスクケース
４２  ケース本体
４５  凸部
４７  係止突起
４９  蓋体
５０  爪部
１００  ディスク
【図１】
2006062687.tif 000003
【図２】
2006062687.tif 000004
【図３】
2006062687.tif 000005
【図４】
2006062687.tif 000006
【図５】
2006062687.tif 000007
【図６】
2006062687.tif 000008
【図７】
2006062687.tif 000009
【図８】
2006062687.tif 000010